(57)【要約】【課題】蓋部が開状態である場合にメモリカードへのアクセスを禁止することを使用状況に応じて無効にする。【解決手段】データ処理装置１は、ソケットと、筐体と、蓋部と、検出部２３と、制御部２４とを備える。ソケットには、メモリカード４が挿抜される挿入口が形成されている。筐体には、挿入口が外部に露出するようにソケットが設けられている。蓋部は、筐体に開閉自在に設けられ、閉状態である場合に挿入口を覆い、開状態である場合に挿入口を外部に露出させる。検出部２３は、蓋部の開閉状態を検出する。制御部２４は、ソケットに挿入されているメモリカード４へのアクセスを実行する。制御部２４は、蓋部の開状態が検出部２３で検出されるとアクセスを禁止するアクセス禁止機能を有効にする通常モードと、アクセス禁止機能を無効にする特別モードとを選択可能に有する。【選択図】図１
2011248620.tif 000002
【特許請求の範囲】
【請求項１】
メモリカードが挿抜される挿入口が形成されたソケットと、
前記挿入口が外部に露出するように前記ソケットが設けられている筐体と、
前記筐体に開閉自在に設けられ、閉状態である場合に前記挿入口を覆い、開状態である場合に前記挿入口を外部に露出させる蓋部と、
前記蓋部の開閉状態を検出する検出部と、
前記ソケットに挿入されている前記メモリカードへのアクセスを実行する制御部とを備え、
前記制御部は、前記蓋部の開状態が前記検出部で検出されると前記アクセスを禁止するアクセス禁止機能を有効にする通常モードと、前記アクセス禁止機能を無効にする特別モードとを選択可能に有する
ことを特徴とするデータ処理装置。
【請求項２】
前記制御部は、前記特別モードで前記アクセスを実行しているときに、前記蓋部の開状態が前記検出部で検出されると、前記アクセスが終了するまで前記特別モードを維持し、前記アクセスが終了した後に前記特別モードから前記通常モードに切り替えることを特徴とする請求項１記載のデータ処理装置。
【請求項３】
前記通常モードと前記特別モードのいずれかのモードを前記制御部が選択するための指示の入力に用いられる操作部を備え、
前記制御部は、前記特別モードで前記アクセスを実行しているときに、前記蓋部の開状態が前記検出部で検出されると、前記検出部の検出時点で前記操作部に入力された前記指示に従って前記通常モードと前記特別モードのいずれかのモードを選択する
ことを特徴とする請求項１記載のデータ処理装置。
【請求項４】
前記アクセスを禁止するタイミングを設定する外部機器と通信する通信部を備え、
前記制御部は、前記特別モードのときに、前記蓋部の開状態が前記検出部で検出されると、前記外部機器で設定された前記タイミングになるまで前記特別モードを維持し、前記タイミングになると前記特別モードから前記通常モードに切り替える
ことを特徴とする請求項１記載のデータ処理装置。
【発明の詳細な説明】
【技術分野】
【０００１】
本発明は、メモリカードとの間でデータを授受する機能を有するデータ処理装置に関する。
【背景技術】
【０００２】
従来から、メモリカードとの間でデータを授受する機能を有するデータ処理装置が種々開発され市販されている（例えば特許文献１参照）。このようなデータ処理装置は、メモリカードが挿抜される挿入口が形成されたソケットと、挿入口が外部に露出するようにソケットが設けられている筐体と、ソケットおよびメモリカードを外部から保護するために筐体に設けられた蓋部とを備えている。蓋部は、閉状態である場合に挿入口を覆い、開状態である場合に挿入口を外部に露出させるように筐体に開閉自在に設けられている。データ処理装置は、蓋部が閉状態である場合、ソケットに挿入されているメモリカードへのアクセスを実行し、蓋部が開状態である場合、上記アクセスを禁止する。
【先行技術文献】
【特許文献】
【０００３】
【特許文献１】特開２００５−１９０２９２号公報
【発明の概要】
【発明が解決しようとする課題】
【０００４】
しかしながら、従来のデータ処理装置では、メモリカードへのアクセス中に蓋部が開いたり筐体から外れたりした場合に、図８に示すように、蓋部の開状態を検出した時点（図８の時間ｔ４１）で、実行中のアクセスを途中で禁止してしまうため、メモリカードとのデータの授受に不具合が発生するという問題があった。
【０００５】
また、従来のデータ処理装置では、蓋部の破損や紛失があった場合、新しい蓋部が筐体に取り付けられない限り、メモリカードへのアクセスを実行することができないという問題もあった。
【０００６】
本発明は上記の点に鑑みて為され、本発明の目的は、蓋部が開状態である場合にメモリカードへのアクセスを禁止することを使用状況に応じて無効にすることができるデータ処理装置を提供することにある。
【課題を解決するための手段】
【０００７】
本発明のデータ処理装置は、メモリカードが挿抜される挿入口が形成されたソケットと、前記挿入口が外部に露出するように前記ソケットが設けられている筐体と、前記筐体に開閉自在に設けられ、閉状態である場合に前記挿入口を覆い、開状態である場合に前記挿入口を外部に露出させる蓋部と、前記蓋部の開閉状態を検出する検出部と、前記ソケットに挿入されている前記メモリカードへのアクセスを実行する制御部とを備え、前記制御部は、前記蓋部の開状態が前記検出部で検出されると前記アクセスを禁止するアクセス禁止機能を有効にする通常モードと、前記アクセス禁止機能を無効にする特別モードとを選択可能に有することを特徴とする。
【０００８】
このデータ処理装置において、前記制御部は、前記特別モードで前記アクセスを実行しているときに、前記蓋部の開状態が前記検出部で検出されると、前記アクセスが終了するまで前記特別モードを維持し、前記アクセスが終了した後に前記特別モードから前記通常モードに切り替えることが好ましい。
【０００９】
このデータ処理装置において、前記通常モードと前記特別モードのいずれかのモードを前記制御部が選択するための指示の入力に用いられる操作部を備え、前記制御部は、前記特別モードで前記アクセスを実行しているときに、前記蓋部の開状態が前記検出部で検出されると、前記検出部の検出時点で前記操作部に入力された前記指示に従って前記通常モードと前記特別モードのいずれかのモードを選択することが好ましい。
【００１０】
このデータ処理装置において、前記アクセスを禁止するタイミングを設定する外部機器と通信する通信部を備え、前記制御部は、前記特別モードのときに、前記蓋部の開状態が前記検出部で検出されると、前記外部機器で設定された前記タイミングになるまで前記特別モードを維持し、前記タイミングになると前記特別モードから前記通常モードに切り替えることが好ましい。
【発明の効果】
【００１１】
本発明によれば、蓋部が開状態である場合にメモリカードへのアクセスを禁止するアクセス禁止機能を無効にする特別モードを有することによって、蓋部が開いたり筐体から外れたりして蓋部の開状態を検出した場合であっても、例外的にアクセスを実行することができる。
【図面の簡単な説明】
【００１２】
【図１】実施形態１に係るデータ処理装置の構成を示すブロック図である。
【図２】同上に係るデータ処理装置の外観図である。
【図３】同上に係るデータ処理装置の蓋部が筐体から外れている状態の外観図である。
【図４】同上に係るデータ処理装置の動作を説明する図である。
【図５】実施形態２に係るデータ処理装置の動作を説明する図である。
【図６】実施形態３に係るデータ処理装置において、（ａ）は特別モードを選択した場合の動作を説明する図、（ｂ）は通常モードを選択した場合の動作を説明する図である。
【図７】実施形態４に係るデータ処理装置の動作を説明する図である。
【図８】従来のデータ処理装置の動作を説明する図である。
【発明を実施するための形態】
【００１３】
（実施形態１）
実施形態１に係るデータ処理装置は、メモリカードとの間でデータ（プログラムを含む）を授受する装置である。図１に示すように、本実施形態のデータ処理装置１は、記憶部２１と、メモリインタフェース２２と、検出部２３と、制御部２４と、操作部２５と、報知部２６と、通信部２７と、処理部２８とを備えている。また、データ処理装置１は、図２，３に示すように、ソケット３１と、筐体３２と、蓋部３３と、接続端子部３４と、複数種類（図示例では２種類）のコネクタ３５，３６とを備えている。
【００１４】
ソケット３１は、メモリカード４が挿抜される挿入口３１１が形成され、メモリカード４を着脱自在に収納する。メモリカード４は、例えばＳＤメモリカードやコンパクトフラッシュ（登録商標）などであり、記憶部２１（図１参照）に記憶されているデータを外部に取り出す際に用いられる。
【００１５】
筐体３２は、例えば金属板で直方体状に形成され、記憶部２１と検出部２３と制御部２４と通信部２７と処理部２８とが収納されている。筐体３２には、挿入口３１１が外部に露出するようにソケット３１が設けられている。また、筐体３２は、係合孔３２１を左上部に備えている。さらに、筐体３２には、凹所３２２が形成されている。
【００１６】
蓋部３３は、メモリカード４を用いる場合にソケット３１およびメモリカード４を外部から保護するための部材であり、例えば外部からソケット３１およびメモリカード４への粉塵を防止する。蓋部３３は、筐体３２の係合孔３２１と係止する係合部（図示せず）を一端側（図２の左側）に備えている。蓋部３３の係合部と筐体３２の係合孔３２１とが係止することによって、蓋部３３は筐体３２に固定されている。これにより、蓋部３３は、閉状態である場合に挿入口３１１を覆い、開状態である場合に挿入口３１１を外部に露出させることができる。また、蓋部３３は、閉状態であるときに筐体３２の凹所３２２に挿入する突起部（図示せず）を裏面に備えている。
【００１７】
接続端子部３４は、筐体３２の外面に露出するように設けられている。接続端子部３４には、外部機器５（図１参照）が接続される。外部機器５としては、プログラマブルコントローラ（ＰＬＣ）や、所定の計測を行う計測器などがある。
【００１８】
コネクタ３５は、筐体３２の外面に露出するように設けられている。コネクタ３５には、データ処理装置１を動作させるためのプログラムをデータ処理装置１に与えるコンピュータ（図示せず）や操作部２５（図１参照）などが接続される。
【００１９】
コネクタ３６は、筐体３２の外面に露出するように設けられている。コネクタ３６には、データ処理装置１を動作させるためのプログラムをデータ処理装置１に与えるコンピュータ（図示せず）などがネットワーク（図示せず）を介して接続される。
【００２０】
図１に示す記憶部２１は、ＲＯＭ（Read Only Memory）およびＲＡＭ（Random Access Memory）を備えている。ＲＯＭとしては、データの書き換えができないマスクＲＯＭ、データの書き換えができるＥＥＰＲＯＭ（Electrically Erasable Programmable Read Only Memory）やフラッシュメモリなどが用いられる。記憶部２１には、各種データが記憶されたり、制御部２４や処理部２８などを動作させるためのプログラムが記憶されたりしている。
【００２１】
メモリインタフェース２２は、ソケット３１（図３参照）と制御部２４との間に介在し、制御部２４の指示に従って、ソケット３１に挿入されているメモリカード４からデータを取得したり、記憶部２１のデータを外部に取り出す際に上記データをメモリカード４に記憶させたりする。使用者は、データ処理装置１からメモリカード４に取り出されたデータを外部装置（例えばパーソナルコンピュータなど）で確認することができる。
【００２２】
検出部２３は、スイッチ２３１と、判断部２３２とを備え、蓋部３３（図２参照）の開閉状態（着脱状態）を検出する。
【００２３】
スイッチ２３１は、例えばモーメンタリ動作の押しボタンスイッチであり、押操作部が筐体３２の凹所３２２（図３参照）付近に設置されている。蓋部３３が閉じられているとき、蓋部３３の突起部（図示せず）が凹所３２２に入ってスイッチ２３１を押操作することによって、スイッチ２３１はオン状態になる。一方、蓋部３３が開いたとき、蓋部３３の突起部がスイッチ２３１から離れるため、スイッチ２３１は元の状態に戻ってオフ状態になる。蓋部３３が筐体３２から外れている場合も、スイッチ２３１はオフ状態になる。なお、スイッチ２３１としては、押操作されたときにオフ状態になり、押操作されていないときにオン状態になるスイッチを採用してもよい。また、スイッチ２３１は、上記のような押しボタンスイッチに限定されず、他のスイッチであってもよい。
【００２４】
判断部２３２は、マイクロプロセッサ（ＭＰＵ：Micro Processing Unit）を主構成要素とし、記憶部２１に格納されているプログラムに従って動作することによって、スイッチ２３１のオンオフ情報を用いて、蓋部３３が開状態であるか閉状態であるかを判断する。なお、蓋部３３が筐体３２から外れている場合、判断部２３２は、蓋部３３が開状態であると判断する。
【００２５】
制御部２４は、マイクロプロセッサを主構成要素とし、記憶部２１に格納されているプログラムに従って動作することによって、データ処理装置１の各部を制御する。例えば、制御部２４は、検出部２３を制御して、蓋部３３の開閉状態の情報を検出部２３から取得する。また、制御部２４は、ソケット３１に挿入されているメモリカード４へのアクセスを実行するアクセス実行機能と、蓋部３３の開状態が検出部２３で検出されると上記アクセスを禁止するアクセス禁止機能とを有している。さらに、制御部２４は、アクセス禁止機能を有効にする通常モードと、アクセス禁止機能を無効にする特別モードとを選択可能に有している。上記より、本実施形態の制御部２４は、蓋部３３の閉状態が検出部２３で検出されると、メモリカード４へのアクセスを実行し、蓋部３３の開状態が検出部２３で検出されると、上記アクセスを禁止することになる。
【００２６】
操作部２５は、例えばキーパッドやキーボードなどであり、使用者がデータ処理装置１への指示を入力するときに用いられる入力装置である。操作部２５には、使用者の入力操作によって各種指示が入力される。操作部２５に入力された指示は、操作部２５から制御部２４に出力される。
【００２７】
報知部２６は、例えばＬＥＤなどであり、筐体３２に露出して設けられている。報知部２６は、制御部２４の指示に従って、点灯したり点滅したりすることによって、制御部２４のモードや蓋部３３の開閉状態、メモリカード４の挿抜、エラーの発生などを報知する。報知部２６による報知によって、使用者は、制御部２４のモード、蓋部３３が開状態であるか閉状態であるか、メモリカード４がソケット３１に挿入されているか否か、エラーが発生しているか否かを知ったりすることができる。
【００２８】
通信部２７は、接続端子部３４（図２参照）に接続される外部機器５と通信する機能を有し、制御部２４の指示に従って、外部機器５にデータを送信したり、外部機器５からデータを受信したりする。
【００２９】
処理部２８は、マイクロプロセッサを主構成要素とし、記憶部２１に格納されているプログラムに従って動作することによって、外部からデータを取得し、取得したデータに対して所定の処理を実行し、処理後のデータを記憶部２１に記憶させる。
【００３０】
次に、本実施形態に係るデータ処理装置１の動作について図４を用いて説明する。制御部２４は特別モードを予め選択している。最初に、制御部２４がメモリカード４へのアクセスを開始する。その後、アクセス中に蓋部３３が筐体３２から外れると（図４の時間ｔ１）、検出部２３が蓋部３３の開状態を検出する。もし通常モードである場合、アクセス禁止機能が働いて、図４の破線のように制御部２４は上記アクセスを禁止する。しかしながら、制御部２４は、上記アクセスを開始する前に特別モードを選択してアクセス禁止機能を無効にしているので、図４の実線のように上記アクセスを継続する。上記アクセスが終了した後も、制御部２４は、特別モードを維持するので、新しいアクセスを実行することができる。
【００３１】
なお、制御部２４がメモリカード４へのアクセスを開始する前から蓋部３３が開状態であった場合も、制御部２４は、特別モードを選択していれば、上記アクセスを開始することができる。
【００３２】
次に、本実施形態に係るデータ処理装置１の使用例について説明する。まず、第１の使用例として、データ処理装置１を画像処理装置に用いた場合について説明する。この場合、図１の処理部２８は、撮像装置（図示せず）の撮像によって得られた画像の画像データを上記撮像装置から取得し、取得した画像データを用いて画像処理を行う。上記撮像装置から取得した画像データおよび上記画像処理が行われた後の画像データは、記憶部２１に記憶される。制御部２４は、記憶部２１に記憶されている画像データをメモリカード４に記憶させる場合、特別モードを選択していると、メモリカード４へのアクセス中に蓋部３３が開いたり、筐体３２から外れたりしても、実行中のアクセスを継続する。
【００３３】
続いて、第２の使用例として、データ処理装置１をデータ収集装置に用いた場合について説明する。この場合、処理部２８は、例えば電力メータや水道メータ、ガスメータなどの計測器から計測データを取得してデータ処理を行う（例えば、計測器ごとにデータを時系列に処理したり、複数の計測器からの計測データを時間ごとに処理したりする）。データ処理が行われた後の計測データは、記憶部２１に記憶される。制御部２４は、記憶部２１に記憶されている計測データをメモリカード４に記憶させる場合、特別モードを選択していると、メモリカード４へのアクセス中に蓋部３３が開いたり、筐体３２から外れたりしても、実行中のアクセスを継続する。
【００３４】
以上、本実施形態のデータ処理装置１によれば、蓋部３３が開状態である場合にメモリカード４へのアクセスを禁止するアクセス禁止機能を無効にする特別モードを制御部２４が有することによって、蓋部３３が開いたり筐体３２から外れたりして検出部２３が蓋部３３の開状態を検出した場合であっても、制御部２４が例外的にアクセスを実行することができる。
【００３５】
（実施形態２）
実施形態２に係るデータ処理装置１は、蓋部３３の開状態が検出された場合に実行中のアクセスが終了した後に新しいアクセスを禁止する点で、実施形態１に係るデータ処理装置１と相違する。以下、本実施形態のデータ処理装置１について図１〜３および図５を用いて説明する。なお、実施形態１のデータ処理装置１と同様の構成要素については、同一の符号を付して説明を省略する。
【００３６】
本実施形態の制御部２４は、特別モードでアクセスを実行しているときに、蓋部３３の開状態が検出部２３で検出されると、アクセスが終了するまで特別モードを維持し、アクセスが終了した後に特別モードから通常モードに切り替える。
【００３７】
次に、本実施形態に係るデータ処理装置１の動作について図５を用いて説明する。制御部２４は特別モードを予め選択している。最初に、制御部２４がメモリカード４へのアクセスを開始する。その後、アクセス中に蓋部３３が筐体３２から外れると（図５の時間ｔ１１）、検出部２３が蓋部３３の開状態を検出する。もし通常モードである場合、アクセス禁止機能が働いて、図５の破線のように制御部２４は上記アクセスを禁止する。しかしながら、制御部２４は、上記アクセスを開始する前に特別モードを選択してアクセス禁止機能を無効にしているので、図５の実線のように上記アクセスを継続する。上記アクセスが終了した後（時間ｔ１２）、制御部２４は、特別モードから通常モードに切り替わり、新しいアクセスを禁止する。
【００３８】
以上、本実施形態のデータ処理装置１によれば、制御部２４がアクセスを実行しているときに検出部２３が蓋部３３の開状態を検出した場合であっても、制御部２４が実行中のアクセスをそのまま継続することができるので、データの破損などを低減することができる。
【００３９】
なお、本実施形態のデータ処理装置１も、実施形態１のデータ処理装置１と同様に、画像処理装置として用いたり、データ収集装置として用いたりすることができる。以下の実施形態３，４においても同様である。
【００４０】
（実施形態３）
実施形態３に係るデータ処理装置１は、蓋部３３が閉状態から開状態になったときに実行中のアクセスを継続するのか禁止するのかを使用者が選択することができる点で、実施形態１に係るデータ処理装置１と相違する。以下、本実施形態のデータ処理装置１について図１〜３および図６を用いて説明する。なお、実施形態１のデータ処理装置１と同様の構成要素については、同一の符号を付して説明を省略する。
【００４１】
本実施形態の操作部２５は、蓋部３３が閉状態から開状態になった場合に、通常モードと特別モードのいずれかのモードを制御部２４が選択するための指示を使用者が入力するために用いられる。使用者は、報知部２６による報知によって、蓋部３３が閉状態から開状態になったことを知ることができる。
【００４２】
本実施形態の制御部２４は、特別モードでアクセスを実行しているときに、蓋部３３が閉状態から開状態になったことが検出部２３で検出されると、蓋部３３が開状態であることを報知するように報知部２６を制御する。その後、制御部２４は、検出部２３の検出時点で操作部２５に入力された指示に従って通常モードと特別モードのいずれかのモードを選択する。
【００４３】
次に、本実施形態に係るデータ処理装置１の動作について図６を用いて説明する。最初に、制御部２４がメモリカード４へのアクセスを開始する。その後、アクセス中に蓋部３３が筐体３２から外れると（図６の時間ｔ２１）、検出部２３が蓋部３３の開状態を検出する。報知部２６が蓋部３３の開状態を報知する。使用者は、報知部２６の報知によって蓋部３３の開状態を認識し、操作部２５を用いて通常モードか特別モードかを選択するための指示を入力する。その後、制御部２４は、操作部２５からの指示に従って、通常モードか特別モードのいずれかのモードを選択する。操作部２５からの指示が特別モードである場合、制御部２４は、図６（ａ）に示すように、アクセス禁止機能を無効にし、上記アクセスを継続する。上記アクセスが終了した後（時間ｔ２２）、制御部２４は、特別モードから通常モードに切り替わり、新しいアクセスを禁止する。一方、操作部２５からの指示が通常モードである場合、制御部２４は、図６（ｂ）に示すように、アクセス禁止機能によって、上記アクセスおよび新しいアクセスを禁止する。
【００４４】
以上、本実施形態のデータ処理装置１によれば、検出部２３が蓋部３３の開状態を検出した場合に、実行中のアクセスを制御部２４が継続するか禁止するかを使用状況に応じて使用者に決定させることができる。
【００４５】
（実施形態４）
実施形態４に係るデータ処理装置１は、所望のタイミングで制御部２４がメモリカード４へのアクセスを禁止することができる点で、実施形態１に係るデータ処理装置１と相違する。以下、本実施形態のデータ処理装置１について図１〜３および図７を用いて説明する。なお、実施形態１のデータ処理装置１と同様の構成要素については、同一の符号を付して説明を省略する。
【００４６】
本実施形態の外部機器５は、プログラマブルコントローラであり、メモリカード４へのアクセスを制御部２４が禁止するタイミングを設定する装置である。外部機器５は、これまで実行されていたアクセスが終了したという情報を通信部２７から取得すると、プログラムなどで予め設定されたタイミングでアクセス禁止の指示を通信部２７に送信する。これまで実行されていたアクセスが終了したという情報を取得する前に、蓋部３３が開状態であるという情報を通信部２７から受信すると、外部機器５は、実行中のアクセスを継続するという情報を通信部２７に送信する。
【００４７】
本実施形態の通信部２７は、蓋部３３が閉状態である場合、制御部２４の指示に従って、蓋部３３が開状態であるという情報を外部機器５に送信する。また、通信部２７は、これまで実行していたアクセスが終了した後、上記アクセスが終了したという情報を外部機器５に送信する。一方、通信部２７は、蓋部３３が開状態であるという情報を送信した後に、実行中のアクセスを継続するという情報を外部機器５から受信する。また、通信部２７は、これまで実行していたアクセスが終了したという情報を送信した後、アクセスを禁止するタイミングの情報を外部機器５から取得する。通信部２７は、外部機器５から取得した情報を制御部２４に出力する。
【００４８】
本実施形態の制御部２４は、特別モードのときに、蓋部３３の開状態が検出部２３で検出されると、蓋部３３が開状態であるという情報を外部機器５に送信するように通信部２７を制御する。その後、これまで実行していたアクセスが終了すると、制御部２４は、上記アクセスが終了したという情報を外部機器５に送信するように通信部２７を制御する。その後、制御部２４は、外部機器５で設定されたタイミングの情報を通信部２７から取得すると、上記タイミングになるまで特別モードを維持する。その後、上記タイミングになると、制御部２４は、特別モードから通常モードに切り替える。
【００４９】
次に、本実施形態に係るデータ処理装置１の動作について図７を用いて説明する。制御部２４は特別モードを予め選択している。最初に、制御部２４がメモリカード４へのアクセスを開始する。その後、アクセス中に蓋部３３が筐体３２から外れると（図７（ａ）の時間ｔ３１）、検出部２３が蓋部３３の開状態を検出する。通信部２７は、蓋部３３が開状態であるという情報を外部機器５に送信する。外部機器５は、蓋部３３の開状態を検知し、実行中のアクセスを継続するという情報を通信部２７に送信する。通信部２７が上記情報を受信すると、制御部２４は、実行中のアクセスを継続する。上記アクセスが終了すると（図７（ａ）の時間ｔ３２）、通信部２７は、上記アクセスが終了したという情報を外部機器５に送信する。外部機器５は、上記情報を受信すると、アクセスを禁止するタイミングの情報を通信部２７に送信する。通信部２７が上記情報を受信した後、上記タイミングに到達すると（図７（ａ）の時間ｔ３３）、制御部２４は、特別モードから通常モードに切り替えて、アクセスを禁止する。なお、外部機器５は、上記タイミングの情報を通信部２７に送信する際に、蓋部３３が開状態であることを報知して、使用者に知らせることができる。
【００５０】
以上、本実施形態のデータ処理装置１によれば、アクセスを禁止するタイミングについて外部機器５を用いて使用者に自由に設定させることができる。
【符号の説明】
【００５１】
１  データ処理装置
２３  検出部
２４  制御部
２５  操作部
２７  通信部
３１  ソケット
３２  筐体
３３  蓋部
４  メモリカード
５  外部機器
【図１】
2011248620.tif 000003
【図２】
2011248620.tif 000004
【図３】
2011248620.tif 000005
【図４】
2011248620.tif 000006
【図５】
2011248620.tif 000007
【図６】
2011248620.tif 000008
【図７】
2011248620.tif 000009
【図８】
2011248620.tif 000010